(57)【要約】  異なる時間間隔で撮影された画像を比較することで宝飾品を検証する方法、システム、およびコンピュータプログラム製品。撮影された画像は、宝飾品上に１つまたは複数の宝石を保持することを可能とする宝石保持部の画像を示す。画像はデータベースに格納され、宝石保持部のセッティングにおける変化を確認するために比較される。金属部または宝石における変化は、宝石保持部のセッティングの変化および／または画像の差分に基づいて検出される。宝飾品の査定額は、金属部または宝石における変化に基づいて変更されると判定される。本発明はさらに、データベースに接続されるオンライン商取引プラットフォームを介して宝飾品の表示、査定、比較、および販売を可能とする。【選択図】  図１
2020528592.tif 000002
【特許請求の範囲】
【請求項１】
宝飾品上に１つまたは複数の宝石を保持することを可能とする１つまたは複数の宝石保持部を撮影した、前記宝飾品の第１画像セットを第１時間間隔で撮影することと、
前記１つまたは複数の宝石保持部を撮影した、前記宝飾品の第２画像セットを第２時間間隔で撮影することと、
前記第１画像セットと前記第２画像セットを比較して、前記１つまたは複数の宝石保持部のセッティングの変化を確認すること、
とを含む、宝飾品の検証方法。
【請求項２】
前記第１画像セットおよび前記第２画像セットが、前記宝飾品の静止画像、ビデオ画像、およびレーザーベースのトポグラフィモデルのうちの１つまたは複数を含む、請求項１に記載の方法。
【請求項３】
前記第１画像セットと前記第２画像セットを比較することが、前記１つまたは複数の宝石保持部の前記セッティングの前記変化に基づいて前記１つまたは複数の宝石の大きさまたは位置の変化を確認することをさらに含む、請求項１に記載の方法。
【請求項４】
前記宝飾品の前記第１画像セットおよび前記第２画像セットを撮影することが、前記１つまたは複数の宝石のインクルージョン、ガードル、およびファセットのうちの１つまたは複数の画像を撮影することをさらに含む、請求項１に記載の方法。
【請求項５】
前記宝飾品の前記第１画像セットおよび前記第２画像セットを撮影することが、前記宝飾品の金属部および前記１つまたは複数の宝石の１つまたは複数の上の刻印の画像を撮影することをさらに含む、請求項１に記載の方法。
【請求項６】
前記１つまたは複数の宝石保持部の前記セッティングに変化が確認された場合に、警告を生成することをさらに含む、請求項１に記載の方法。
【請求項７】
前記第１画像セットおよび前記第２画像セットがデータベースまたはウェブサイトに格納される、請求項１に記載の方法。
【請求項８】
前記宝飾品の前記金属部および前記１つまたは複数の宝石の物理的識別データを前記データベースまたは前記ウェブサイトに格納することをさらに含む、請求項７に記載の方法。
【請求項９】
前記第１画像セットおよび前記第２画像セットを撮影、記憶した日時を含むタイムスタンプおよび前記第１画像セットおよび前記第２画像セットを撮影した場所を前記データベースに格納することをさらに含む、請求項７に記載の方法。
【請求項１０】
前記データベースは、前記格納された情報にリアルタイムでアクセスするためにユーザがローカルネットワークまたはリモートネットワークを介してアクセス可能である、請求項７に記載の方法。
【請求項１１】
宝飾品上に１つまたは複数の宝石を保持することを可能とする１つまたは複数の宝石保持部を撮影した、前記宝飾品の第１画像セットを第１時間間隔で撮影することと、
前記第１画像セットをデータベースに格納することと、
前記１つまたは複数の宝石保持部を撮影した、前記宝飾品の第２画像セットを第２時間間隔で撮影することと、
前記第２画像セットを前記データベースに格納することと、
前記第１画像セットと前記第２画像セットを比較して、前記１つまたは複数の宝石保持部のセッティングの変化を確認することと、
前記１つまたは複数の宝石保持部の前記セッティングの前記変化に基づいて前記宝飾品の金属部または前記１つまたは複数の宝石における変化を確認することと、
前記金属部または前記１つまたは複数の宝石における前記変化に基づいて前記宝飾品の査定額の変化を確認すること、
とを含む、宝飾品の査定額の変化の検証方法。
【請求項１２】
前記第１画像セットおよび前記第２画像セットが、前記宝飾品の静止画像、ビデオ画像、およびレーザーベースのトポグラフィモデルのうちの１つまたは複数を含む、請求項１１に記載の方法。
【請求項１３】
前記宝飾品の前記第１画像セットおよび前記第２画像セットを撮影することが、前記１つまたは複数の宝石のインクルージョン、ガードル、およびファセットのうちの１つまたは複数の画像を撮影することをさらに含む、請求項１１に記載の方法。
【請求項１４】
前記宝飾品の前記第１画像セットおよび前記第２画像セットを撮影することが、前記宝飾品の前記金属部および前記１つまたは複数の宝石の１つまたは複数の上の刻印の画像を撮影することをさらに含む、請求項１１に記載の方法。
【請求項１５】
前記１つまたは複数の宝石保持部の前記セッティングに変化が確認された場合に、警告を生成することをさらに含む、請求項１１に記載の方法。
【請求項１６】
前記データベースが、前記宝飾品の第１査定額を前記第１時間間隔で、また前記宝飾品の第２査定額を前記第２時間間隔で、それぞれ前記第１画像セットおよび前記第２画像セットを使って見積もりを行う自動宝飾品鑑定システムに接続される、請求項１１に記載の方法。
【請求項１７】
前記第１査定額および前記第２査定額を前記データベースに格納することをさらに含む、請求項１６に記載の方法。
【請求項１８】
前記宝飾品の査定額の変化が前記第１査定額と前記第２査定額の間の差分に基づいて計算される、請求項１６に記載の方法。
【請求項１９】
前記データベースが、前記宝飾品の表示、査定、比較、販売のうちの１つまたは複数の機能を消費者が実行できるようにするオンライン商取引プラットフォームに接続される、請求項１１に記載の方法。
【請求項２０】
前記宝飾品の前記金属部および前記１つまたは複数の宝石の物理的識別データを前記データベースに格納することをさらに含む、請求項１１に記載の方法。
【請求項２１】
前記第１画像セットおよび前記第２画像セットを撮影、記憶した日時を含む、前記第１画像セットおよび前記第２画像セットのタイムスタンプを前記データベースに格納することをさらに含む、請求項１１に記載の方法。
【請求項２２】
前記データベースは、前記格納された情報にリアルタイムでアクセスするためにユーザがローカルネットワークまたはリモートネットワークを介してアクセス可能である、請求項１１に記載の方法。
【請求項２３】
宝飾品上に１つまたは複数の宝石を保持することを可能とする１つまたは複数の宝石保持部を撮影した、前記宝飾品の第１画像セットおよび第２画像セットをそれぞれ第１時間間隔および第２時間間隔で撮影するための撮像装置と、
前記第１画像セットおよび前記第２画像セットを格納するためのデータベースと、
前記第１画像セットと前記第２画像セットを比較して、前記１つまたは複数の宝石保持部のセッティングの変化を確認するための処理部と、
出力ディスプレイであって、
前記第１画像セットおよび前記第２画像セットを表示し、
前記第１画像セットと前記第２画像セットの比較結果を表示する、
ための出力ディスプレイ、
とを含む、宝飾品の検証システム。
【請求項２４】
前記撮像装置が、前記宝飾品の静止画像、ビデオ画像、およびレーザーベースのトポグラフィモデルのうちの１つまたは複数を撮影する、請求項２３に記載のシステム。
【請求項２５】
前記データベースが、前記１つまたは複数の宝石のインクルージョン、ガードル、およびファセットの画像、金属部および前記１つまたは複数の宝石上の刻印の画像、前記金属部および前記１つまたは複数の宝石の物理的識別データのうちの１つまたは複数をさらに格納する、請求項２３に記載のシステム。
【請求項２６】
前記データベースが、前記第１画像セットおよび前記第２画像セットを撮影、記憶した日時を含む、前記第１画像セットおよび前記第２画像セットのタイムスタンプをさらに格納する、請求項２３に記載のシステム。
【請求項２７】
前記宝飾品の査定額を前記格納された画像を使って見積もる自動宝飾品鑑定システムをさらに含む、請求項２３に記載のシステム。
【請求項２８】
前記宝飾品の表示、査定、比較、販売のうちの１つまたは複数の機能を消費者が実行できるようにするオンライン商取引プラットフォームをさらに含む、請求項２３に記載のシステム。
【請求項２９】
複数のコードセクションを有する、宝飾品検証用のコンピュータプログラムが記憶されている非一時的コンピュータ可読記憶媒体であって、前記コードセクションはコンピュータにより実行可能で、前記コンピュータに、
前記宝飾品上に１つまたは複数の宝石を保持することを可能とする１つまたは複数の宝石保持部の画像を含む、前記宝飾品の第１画像セットを第１時間間隔で受信するステップと、
前記１つまたは複数の宝石保持部の前記画像を含む、前記宝飾品の第２画像セットを第２時間間隔で受信するステップと、
前記第１画像セットと前記第２画像セットを比較して、前記１つまたは複数の宝石保持部のセッティングの変化を確認するステップ、
とを行わせる、非一時的コンピュータ可読記憶媒体。
【請求項３０】
前記第１画像セットおよび前記第２画像セットが、前記宝飾品の静止画像、ビデオ画像、およびレーザーベースのトポグラフィモデルのうちの１つまたは複数を含む、請求項２９に記載の非一時的コンピュータ可読記憶媒体。
【請求項３１】
前記第１画像セットと前記第２画像セットを比較することが、前記１つまたは複数の宝石保持部の前記セッティングの前記変化に基づいて前記１つまたは複数の宝石の大きさまたは位置の変化を確認するためのコードセクションをさらに含む、請求項２９に記載の非一時的コンピュータ可読記憶媒体。
【請求項３２】
前記宝飾品の前記第１画像セットおよび前記第２画像セットを受信することが前記１つまたは複数の宝石内のインクルージョンの画像を受信するためのコードセクションをさらに含む、請求項２９に記載の非一時的コンピュータ可読記憶媒体。
【請求項３３】
前記宝飾品の前記第１画像セットおよび前記第２画像セットを受信することが前記宝飾品の金属部および前記１つまたは複数の宝石の１つまたは複数の上の刻印の画像を受信するためのコードセクションをさらに含む、請求項２９に記載の非一時的コンピュータ可読記憶媒体。
【請求項３４】
前記１つまたは複数の宝石保持部の前記セッティングに変化が確認された場合に警告を生成するためのコードセクションをさらに含む、請求項２９に記載の非一時的コンピュータ可読記憶媒体。
【請求項３５】
前記第１画像セットおよび前記第２画像セットを記憶するためのコードセクションをさらに含む、請求項２９に記載の非一時的コンピュータ可読記憶媒体。
【請求項３６】
前記宝飾品の前記金属部および前記１つまたは複数の宝石の物理的識別データを格納するためのコードセクションをさらに含む、請求項２９に記載の非一時的コンピュータ可読記憶媒体。
【請求項３７】
前記第１画像セットおよび前記第２画像セットを撮影、記憶した日時を含む、前記第１画像セットおよび前記第２画像セットのタイムスタンプを前記データベースに格納するためのコードセクションをさらに含む、請求項２９に記載の非一時的コンピュータ可読記憶媒体。
【発明の詳細な説明】
【技術分野】
【０００１】
本発明は宝飾品のセキュリティ面に関し、特に画像比較による宝飾品のセキュリティ分析に関する。
【背景技術】
【０００２】
宝飾品類やダイヤモンドのような高額な品物は窃盗や詐欺に遭いやすい。こうした商品は安全対策により窃盗から守ることができるが、そうした商品の品質および価値は訓練を受けた専門家によってのみ判定可能であるため、詐欺の防止は複雑な作業である。貴金属やダイヤモンドの品質上の小さな差異であっても、その価値に大きな差を生じうる。例えば、多くの宝石は同じカット、色、形状、および大きさを有しているように見える。そのため、宝石が修理または査定のために宝石商へ預けられた場合に、顧客が知らないうちに同じ外観のより低い価値の宝石と交換されてしまう可能性がある。
【０００３】
こうした高価な品物の純度および本物度合いを検出し、その真の価値を査定するために様々な手段が開発されてきた。従来からの熟練した宝石商の掌中での分析とは別に、作業をある程度自動化するためにソフトウェアアルゴリズムが開発されてきた。ソフトウェアは画像技術を使って異なる時間間隔で宝飾品を撮影し、インテリジェントなアルゴリズムにより写真を比較して変化を検出する。ソフトウェアは石の大きさ、テーブルファセット、角度、宝石内のインクルージョンなどを追跡することで宝飾品を分析する。また、裸眼では見えないレーザー刻印および識別マークも真贋の判定に使われる。さらに、真贋の判定のために宝飾品内部にＲＦＩＤタグも埋め込まれて隠されている。ソフトウェアアルゴリズムはこれらのパラメータを高価な品物の本物度合いおよび真正性を判定するのに使用する。
【０００４】
米国特許出願第２０１４０３１２０１７Ａ１号には、品物の表面にレーザーマーキングを施すことにより貴石（カットされたダイヤモンドおよびカットされていないダイヤモンド）の真贋を判定するためのシステムおよび方法が記載されている。品物の表面には様々な波長のレーザー光が照射され、干渉像が記憶される。記憶されたデータは真贋確認用干渉像と比較されて、識別マークの真贋が判定される。
【０００５】
国際特許出願第２０１５０２３２３０Ａ１号には、宝石内のインクルージョンの画像を撮影することにより宝石を鑑別、検証するための方法およびシステムが記載されている。画像は証明書類上に表示され、光学装置を使ってこの画像を宝石と比較することで宝石が画像と一致するかを判定することができる。また、証明書類はｘ、ｙ、ｚ軸を用いたインクルージョンの場所、ならびに宝石の外観、形状、寸法、重量、測定値、色、屈折率、比重、および吸収スペクトルのような追加の物理的識別データも含むことがある。
【０００６】
米国特許第９，３７３，０１１号には、無線自動識別（「ＲＦＩＤ」）技術を使って貴金属および小さな宝飾品の識別および認証を行うためのシステムおよび方法が記載されている。ＲＦＩＤタグは、金属または宝飾品内にある小さな空洞内のエポキシ樹脂の中の誘電性吸収媒質に埋め込むことができる。ＲＦＩＤタグの情報は読取装置を介してコンピュータへ転送することができて、データベース内のあらかじめプログラムされた情報と照合することができる。
【発明の概要】
【発明が解決しようとする課題】
【０００７】
宝石を有する宝飾品のそれぞれは、一般にプロングとして知られる一連の「宝石保持部」を持ち、この宝石保持部が宝石を所定の場所に保持する。プロングは基本的に小さな金属製の棒で宝飾品の一部であり、折り曲げられて宝石を覆って所定の位置に保持する。プロングセッティングが多くの消費者に好まれる主な理由は、優れた安全性を提供しながらもダイヤモンドがより輝くように光が入射できるようにしているからである。それに加え、プロングは個人の選択に応じて、より高い位置（ダイヤモンドがより大きく見える）または低い位置（物に簡単に引っ掛かることがない）へと変更することも容易にできる。宝飾品の宝石保持部のセッティングは、プロングに加え、ベゼルやチャネルセットなどの様々な種類とすることができる。
【０００８】
宝石の保持に使われるプロングセッティングは、修理または査定の最中に宝石商によって宝飾品または宝石に対して何らかの変更が行われたかを判断するのに重要な側面となる。現在の技術は、この目的でプロングセッティングを利用するのには合わない。
【課題を解決するための手段】
【０００９】
本発明は、異なる時間間隔で撮影された宝石保持部のセッティングの画像を比較することで宝石を有する宝飾品を検証する、新らしい方法を記述する。金属部または宝石における変化は、宝石保持部のセッティングの変化に基づいて確認される。最終的に、宝飾品の査定額の変化は、金属部または宝石における変化に基づいて判定される。
【００１０】
本発明の一態様では、宝飾品の検証方法を説明する。この方法は、宝飾品上に宝石を保持する１つまたは複数の宝石保持部を撮影した、宝飾品の第１画像セットを第１時間間隔で撮影することを含む。この方法はまた、宝石保持部を撮影した、宝飾品の第２画像セットを第２時間間隔で撮影することも含む。この方法はさらに、第１画像セットと第２画像セットを比較して宝石保持部のセッティングの変化を確認することを含む。
【００１１】
本発明の別の態様では、宝飾品の査定額の変化を確認するための方法を説明する。この方法は、宝飾品上に宝石を保持する１つまたは複数の宝石保持部を撮影した、宝飾品の第１画像セットを第１時間間隔で撮影することを含む。この方法はまた、宝石保持部を撮影した、宝飾品の第２画像セットを第２時間間隔で撮影することも含む。撮影された画像はデータベースに格納される。この方法はさらに、第１画像セットと第２画像セットを比較して宝石保持部のセッティングの変化を確認すること、および宝石保持部のセッティングの変化に基づいて宝飾品の金属部または宝石の変化を確認することを含む。この方法はさらに、金属部または宝石における変化に基づいて宝飾品の査定額の変化を確認することを含む。
【００１２】
本発明のもう一つの態様では、宝飾品の検証システムを説明する。このシステムは、宝飾品上に宝石を保持する１つまたは複数の宝石保持部を撮影した、宝飾品の第１画像セットおよび第２画像セットをそれぞれ第１時間間隔および第２時間間隔で撮影するための撮像装置を含む。このシステムはまた、第１画像セットおよび第２画像セットを格納するためのデータベースも含む。このシステムはさらに、第１画像セットと第２画像セットを比較して宝石保持部のセッティングの変化を確認するための処理部も含む。このシステムはまた、第１画像セットおよび第２画像セットならびに画像の比較結果を表示するための出力ディスプレイも含む。
【００１３】
本発明の更なる態様では、複数のコードセクションを有する宝飾品検証用のコンピュータプログラムが記憶されている非一時的コンピュータ可読記憶媒体を説明する。コードセクションはコンピュータにより実行可能で、宝飾品上に宝石を保持する１つまたは複数の宝石保持部の画像を含む、宝飾品の第１画像セットを第１時間間隔で受信するステップをコンピュータに行わせる。コードセクションははまた、宝石保持部の画像を含む、宝飾品の第２画像セットを第２時間間隔で受信するステップも実行する。コードセクションはさらに、第１画像セットと第２画像セットを比較して宝石保持部のセッティングの変化を確認するステップも実行する。
【図面の簡単な説明】
【００１４】
【図１】図１は本発明の教示を具体化したシステムのブロック図を示す。
【図２】図２は例示の宝飾品検証方法における手順を示すフローチャートを示す。
【図３】図３は宝飾品のオンライン鑑定の手順を示すフローチャートを示す。
【図４】図４は宝石を有する宝飾品の画像を示す。
【図５】図５は米国宝石学会（Gemological Institute of America）の例示のダイヤモンド報告書を示す。
【図６】図６は宝飾品の線図を示す。
【図７】図７ａは時間間隔Ｔ１における宝飾品の線図を示す。  図７ｂは時間間隔Ｔ１における宝飾品の線図を示す。  図７ｃは図７ａと図７ｂが重ね合わされた画像を示す。
【図８】図８ａは時間間隔Ｔ１における、プロングから宝石が取り外された宝飾品の線図を示す。  図８ｂは宝石をプロングの間にセットした後の、時間間隔Ｔ２における宝飾品の線図を示す。
【図９】図９ａは時間間隔Ｔ１およびＴ２における、異なるプロング寸法を持つ宝飾品の線図を示す。  図９ｂは時間間隔Ｔ１およびＴ２における、異なるプロング寸法を持つ宝飾品の線図を示す。
【図１０】図１０はリング、宝石、および標準サイズのコインの画像を示す。
【図１１】図１１ａは最初にセットされた宝石の付いた宝飾品の上面図を示す。  図１１ｂは宝飾品内に同じ宝石が再度セットされた宝飾品の上面図を示す。
【図１２−１】図１２ａは宝飾品の購入および販売のためのオンライン商取引プラットフォームの例示のモバイルアプリを示す。  図１２ｂは宝飾品の購入および販売のためのオンライン商取引プラットフォームの例示のモバイルアプリを示す。
【図１２−２】図１２ｃは宝飾品の購入および販売のためのオンライン商取引プラットフォームの例示のモバイルアプリを示す。  図１２ｄは宝飾品の購入および販売のためのオンライン商取引プラットフォームの例示のモバイルアプリを示す。
【図１２−３】図１２ｅは宝飾品の購入および販売のためのオンライン商取引プラットフォームの例示のモバイルアプリを示す。  図１２ｆは宝飾品の購入および販売のためのオンライン商取引プラットフォームの例示のモバイルアプリを示す。
【図１２−４】図１２ｇは宝飾品の購入および販売のためのオンライン商取引プラットフォームの例示のモバイルアプリを示す。  図１２ｈは宝飾品の購入および販売のためのオンライン商取引プラットフォームの例示のモバイルアプリを示す。
【発明を実施するための形態】
【００１５】
開示される主題は様々な変更および代替形態が可能であるが、その詳細は図面において例として示され、詳細に説明される。ただし、本発明の態様を、説明される特定の実施形態に限る意図はないことを理解されたい。本発明の趣旨および範囲に含まれるすべての変更、均等物、および代替を網羅することが意図されている。
【００１６】
以下の詳細な説明は、図を参照して行われる。例示の実施形態は本開示の主題を説明するために記述されており、請求項により規定される主題の範囲を制限するために記述されているわけではない。当業者であれば、記述される、および／または示される様々な要素が、本開示の範囲から逸脱することなく、様々な組み合わせおよび様々な構成で配置されうることを理解するであろう。
【００１７】
本明細書において、すべての数字または値は用語「およそ（ａｂｏｕｔ）」で修飾されることを想定している。端点による数値範囲の開示には、その範囲内に属しているすべての数字が含まれる（例えば、１〜５は１、１．５、２、２．７５、３、３．８０、４、および５を含む）。
【００１８】
本明細書および添付の請求項で使用される場合、単数形の不定冠詞「ａ」、「ａｎ」および定冠詞「ｔｈｅ」は、その内容が明確にそうでないと示していない限りは単数および複数の指示対象を含む、または対象にしていると考えられるべきである。言い換えれば、これらの冠詞は１つまたは複数の指示対象に適用される。本明細書および添付の請求項で使用される場合、用語「ｏｒ」は、その内容が明確にそうでないと示していない限りは、概して「および／または（ａｎｄ／ｏｒ）」を含む、または対象にしていると考えられるべきである。
【００１９】
図１は本発明の教示を具体化したシステム１００のブロック図を示す。システム１００は宝飾品の画像を複数枚撮影するための撮像装置１０２を含む。撮像装置１０２は、宝石、金属部およびプロングを含む宝飾品を様々な角度から撮影する。外観、形状、大きさ、測定値（長さ、幅、および深さ）、ならびに色を含む宝飾品の物理的特性が画像を通じて捉えられる。撮影された画像は、宝飾品の静止画、ビデオ画像、またはレーザーベースのトポグラフィモデルの形態とすることができる。例示の撮像装置は、アナログもしくはデジタルの静止画カメラ、ビデオカメラ、光学カメラ、レーザーカメラ、レーザーもしくは３Ｄ画像スキャナー、または宝飾品の高精細画像を撮影可能な任意の他の装置を含む。また、撮像装置１０２はコンピュータ、ノートパソコン、または携帯電話などの通信装置に内蔵の高精細カメラとすることができる。
【００２０】
例示の実施形態では、撮像装置は宝飾品の画像を複数枚撮影し、画像を縫い合わせて３６０°の視界を得ることができる。あるいは、３６０°の視界は、撮像装置１０２のパノラマ視界技術を使って捉えることができる。更に別の実施形態では、宝飾品のビデオ画像が撮影されて、静止画がビデオフレームから抽出される。図４は宝石４０２を有する宝飾品４００の画像を示す。撮像装置１０２は金属部４０６、宝石４０２、およびプロング４０４の３Ｄ画像を撮影する。
【００２１】
また、撮像装置１０２は宝飾品の宝石内のインクルージョンも撮影する。捕捉され得るインクルージョンの例として、１つまたは複数の固体、液体または気体の内包物、内部亀裂、割れ目、結晶成長領域、応力亀裂、気泡、劈開不良、羽状異物、円板状（ｈａｌｏ）内包物、二相および三相内包物などが挙げられる。撮像装置１０２はさらに、宝飾品の金属部または宝石の表面の識別マークまたは刻印を撮影する。また、ニックス、引っかき傷、へこみ、配置、宝石のテーブルファセットおよび底部ファセット、照明条件下での色変化、ガードルファセット、ならびに厚さも画像を通じて捉えられる。
【００２２】
撮像装置１０２を使って撮影された画像は記憶モジュール１０４に記憶される。記憶モジュール１０４は、日時を含むタイムスタンプおよび画像を撮影、記憶した場所も記憶する。記憶モジュール１０４は撮像装置１０２の内蔵記憶装置とすることができ、例えば、カメラ装置の内蔵メモリとすることができる。別の実施形態では、記憶モジュール１０４は、サーバコンピュータ、クライアントユーザのコンピュータ、パソコン（ＰＣ）、タブレットＰＣ、ノート型コンピュータ、デスクトップコンピュータ、携帯電話、制御システム、およびネットワークルータ、スイッチ、またはブリッジのうちの１つまたは複数の記憶装置とすることができる。あるいは、記憶モジュール１０４は仮想クラウド環境のクラウドストレージとすることができる。
【００２３】
記憶された画像は、画像から情報を抽出、処理して宝飾品のセキュリティを分析するために処理部１０６へ与えられる。ユーザ（本明細書では「ユーザ」は宝飾品類の所有者、製造会社、研究所の人間などを指し、以下の記述においてそのように見なされる）は入力システム１０８を介して処理部１０６へ宝飾品の追加情報を与えることができる。追加情報は、重量、体積、寸法、キャラット、カットのグレード、色の評価などの金属部および宝石の物理的特性と関連しうる。また、ユーザは宝飾品の値段、作業などに関する情報を入力することもできる。宝飾品の証明書または研究所の報告書を手動で入力、または入力システム１０８を介してアップロードすることもできる。図５は米国宝石学会の例示のダイヤモンド報告書を示す。報告書はダイヤモンドの物理的特性を画像とともに示している。入力システム１０８の例として、キーボード、タッチパネル、電子式または光学式マウス、ジェスチャー認識システム、および音声入力システムが挙げられる。入力システム１０８は、ソフトウェアのユーザインタフェース、ウェブサイト、またはモバイルアプリを介して追加情報を与える。
【００２４】
処理部１０６は、異なる時間間隔で撮影された宝飾品の画像からソフトウェアプログラムを使って情報を抽出し、宝飾品の金属部または宝石の変化を検出するために情報を比較する。処理部１０６はデジタルカメラのような撮像装置１０２の内部ＣＰＵとすることができる。本発明の別の実施形態では、処理部１０６はサーバコンピュータ、クライアントユーザのコンピュータ、パソコン（ＰＣ）、タブレットＰＣ、ノート型コンピュータ、デスクトップコンピュータ、携帯電話、制御システム、およびネットワークルータ、スイッチ、またはブリッジのうちの１つまたは複数の処理部とすることができる。処理部１０６からの処理済みの情報は記憶モジュール１０４または外部記憶装置１１２に記憶される。
【００２５】
処理部１０６により処理された宝飾品の情報は、ユーザへ情報を表示する出力システム１１０へ送られる。出力システム１１０は、外観、形状、大きさ、体積、重量、測定値（長さ、幅および深さ）ならびに色を含む宝飾品の物理的特性に関する情報を表示することができる。宝石内のインクルージョン、金属部および宝石上の刻印、宝飾品およびプロングのニックス、引っかき傷、へこみ、配置および角度、石の品質、宝石のテーブルファセットおよび底部ファセット、ガードルファセット、厚さ、重量、ならびに／またはすべての既知の情報および宝飾品から推測される情報をユーザへ表示することができる。上記のすべての情報は、比較と参考のために異なる時間間隔で撮影された宝飾品の画像から抽出される。また、画像の撮影、記憶に関するタイムスタンプも出力システム１００により表示される。本発明の好適な実施形態では、出力システム１１０は、宝石を保持する宝飾品のプロングセッティングの、修理のために発送する前と修理から受け取った後との差分も示す。処理部１０６は、宝飾品のプロングセッティングの変化に基づいて金属部および宝石における差分を計算する。また、金属部および宝石における差分は、実際の価値または差分の割合としてユーザへ示される。また、出力システム１１０は、処理部１０６により算出された差分が所定の限界値を超える場合に警告またはフラグを表示することもできる。出力システム１１０は、宝飾品の物理的特性および画像を含む証明書の形で情報を表示することもできる。出力システム１１０は、異なる時間間隔の画像から計算される宝飾品の査定額を示すこともできる。査定額の差分もユーザへ示される。
【００２６】
リモートコンピュータ、ノートパソコン、携帯電話、ネットワークルータ、スイッチ、ブリッジ、またはクラウド環境内の仮想空間の記憶装置とすることができる外部記憶装置１１２は、オンライン商取引プラットフォーム１１４に接続される。オンライン商取引プラットフォーム１１４により、ユーザは宝飾品を表示し、他のウェブサイトの他の類似の宝飾品と比較することで査定を行い、宝飾品を販売することができる。オンライン商取引プラットフォーム１１４は宝飾品の物理的特性および売り値を表示する。また、ユーザはオンライン商取引プラットフォーム１１４から宝飾品を選択し、適切な支払い方法を用いて購入または販売することもできる。
【００２７】
図２は宝飾品の検証手順を示すフローチャートを示す。プロセスはステップ２０２で始まり、宝石保持部（プロング）により保持される宝石を含む宝飾品がステップ２０４で取り上げられる。ステップ２０６で、撮像装置１０２は宝飾品の第１画像セットを時間間隔Ｔ１で撮影する。本発明の例示の実施形態では、時間間隔Ｔ１は宝飾品が修理のために宝石商へ送られる前の時間と考えられる。また、時間Ｔ１は、宝飾品の画像が撮影されて将来の参考のために記憶される任意の時間とすることもできる。また、画像は宝飾品の経時的な損傷を記録しておくためにユーザが一定の間隔で撮影することもできる。第１画像セットは宝飾品の金属部、宝石、およびプロングの画像を含む。宝石が宝飾品からなくなっている、または落下している場合、中身のないプロングの画像も撮影される。ユーザが宝飾品への取り付けのために宝石を個別に宝石商へ提供する場合、宝石商から返還後の宝飾品と比較するために、宝石の画像も撮影される。画像は、容易に閲覧、比較ができるように拡大可能とするため、高精細度で撮影される。撮影された画像は記憶モジュール１０４に記憶される。
【００２８】
ステップ２０８で、第１画像セットは宝飾品の全体像を得るために縫い合わされる。画像は撮像装置１０２で縫い合わせることができる。あるいは、画像は処理部１０６で縫い合わせることができる。縫い合わされた画像も記憶モジュール１０４に記憶される。処理部１０６上で動作するソフトウェアアルゴリズムが第１画像セットから情報を抽出し、ステップ２１０で、エッジ検出方法を使って宝飾品の金属部、宝石、プロングを分離する。アルゴリズムはステップ２１２でプロングおよびファセット構造を含む宝飾品一式のポイントツーポイント図または線図を作成し、様々な部品を分離する。エッジ検出方法は当技術分野で周知であり、主題を簡潔にするため、ここではその詳細は述べない。ただし、宝飾品の様々な部品を分離するのに任意の他の技術を使うことができるということを当業者は理解されたい。アルゴリズムはステップ２１４で第１画像セットから以下の情報のうち１つまたは複数を抽出する。
・金属部の寸法、体積、角度、色および重量
・金属の品質／金純度
・金属部または宝石のニックス、引っかき傷、へこみ、亀裂
・宝石内のインクルージョン
・金属部または宝石上の識別マークまたは刻印
・宝石のテーブルファセット構造とガードル構造
・宝石の角度と高さ
・パビリオンの深さと角度
・クラウンの高さと角度
・宝石の重量と色
・宝石の表面積の被覆率、すなわち、短すぎないか（エッジに近い）、高すぎないか（テーブルに向かっている）、または的確な距離か
・プロング間の距離
・プロングがお互いに対して、また宝石に対してどう配置されているか
・プロングの高さと厚さ
・ファセット構造とプロングの角度
・プロングの曲面部の角度および他のプロングに対する（他のプロングに面する）角度
・宝石がプロングに対して、また他の宝石に対して相対的にどれだけ高くセットされているか
・落下した、または交換の必要がある宝石の大きさと品質
・プロングとの関係における宝石の配置
・宝石が互いに重なっていないか、または近すぎないか？
・プロングが宝石に接触しているか、または固定されていないか
・プロングの隣、周囲および他の領域にあるプロングの大きさと形状を確認。同一のものか、または似通った大きさで類似の種類の宝石用か？
・同じ種類のプロングか？いくつの種類があるか？それぞれの種類がいくつあるか？
上記の情報は例示であり、本発明の範囲を制限するものではない。アルゴリズムが第１画像セットから宝飾品の検証に必要な任意の他の情報を抽出可能であることは明確に理解されるべきである。
【００２９】
宝飾品４００の正面像が図４に示されている。アルゴリズムは宝飾品４００の画像から様々な部品の寸法を求める。例示の寸法には、宝石のガードルとテーブルファセットおよび配置（４０８）、折り曲げられている場合のプロングの角度、プロングの先端および面の色認識および／または輪郭、ならびにプロングの高さ（４１０）、側面図から見たプロングの厚さおよび曲げの角度（４１２）、体積および変化確認用の２点間のマーキング（４１４）、ならびに、プロングを用いているリングの外表面認識、ファセット配置およびマーカーとしてのインクルージョンなど（４１６）を含む。
【００３０】
図６は処理部１０６により第１画像セットから作成された宝飾品６００の線図を示す。線図から求められる例示の寸法の一部として、宝石のガードル直径（６０２）、テーブル直径（６０４）、パビリオン深さ（６０６）、クラウン高さ（６０８）、パビリオン角度（６１０）、およびクラウン角度（６１２）、ならびにプロングの角度（６１４）およびプロングの幅（６１６）が挙げられる。
【００３１】
ステップ２１６で、画像、図および抽出された情報が記憶モジュール１０４に記憶される。ステップ２１８で、第２画像セットが撮像装置１０２により時間間隔Ｔ２で撮影される。本発明の好適な実施形態では、時間間隔Ｔ２は宝飾品が修理後に宝石商から戻ってきた時間である。また、時間Ｔ２は、宝飾品の画像が撮影されて、例えば宝飾品の損傷を確認するために参考のため記憶される任意の時間とすることもできる。ステップ２２０で、金属部、宝石、およびプロングを分離して画像から情報を抽出するために、第１画像セットのためのステップと同様のステップが第２画像セットのために続く。また、第２画像セット、図、および抽出された情報も記憶モジュール１０４に記憶される。
【００３２】
本発明の別の実施形態では、金属部および宝石の損傷を確認するために、宝飾品の別の画像セットを一定の間隔で撮影することができる。この画像セットは宝飾品のＤＮＡマップとして機能して、そのうち発生する変化を特定することができる。画像データは親鍵と共に宝飾品の次の所有者／取扱業者へと渡される。宝飾品の更新、または最初の写真と現物引き渡しの受領の間の宝飾品の変化の確認（再確認）は、宝飾品の受け取りの前に、新しい写真を使ってアプリケーションを実行し、真贋を検証することで行うことができる。古い写真と新しい写真が一致して受け取りが確定したら、親鍵を新しい所有権を使って更新することができる。これらの画像は、保険会社、警察、質屋、見込み購入者などへ提供することができる。また、保険会社などは、製品構成要素の真贋、一連の所有権、および正確な内訳を検証できるように、宝飾品のユーザから親鍵を得ることができる。プロングおよび宝石を照合する確認により、買い手は金属部および宝石をずっと厳密でより正確に支払いまたは評価を行うことができる。また、これにより、紛失した、または盗まれた宝飾品が発見された場合に警察や保険会社がデータベースを検索できる。さらに、これにより、質屋や貸金業者は、宝飾品を受け取ったり質入れしたりした際にリスクを小さくできるように、所有権に対するよりよい理解が得られる。製造会社が同じ装飾品を複数個作った場合、製造会社はすべての個体を正確に追跡できるようになる。
【００３３】
ステップ２２２で、第１画像セットおよび第２画像セットならびに画像から作成された線図が時間間隔Ｔ１とＴ２の間の画像の変化を確認するために重ね合わせられる。図７ａ、７ｂは、それぞれ第１画像セットおよび第２画像セットから作成された宝飾品の線図を示す。図７ｃは、ステップ２２４で宝飾品のプロングセッティングの変化を確認するために重ね合わされた図７ａ、７ｂの画像を示す。例えば、プロング間の距離、プロングの高さおよび厚さ、宝石に対するプロングの位置、プロングの曲面部の角度および他のプロングに対する角度、プロング間の高さ、ならびに台座寸法比などの変化である。上記のパラメータは例示であり、アルゴリズムはプロングセッティングの変化を確認するのに必要な他の様々なパラメータを考慮することができることは明確に理解されるべきである。アルゴリズムは重ね合わされた画像からピクセルごとにこうした変化を計算し、すべての変化を出力システム１１０上に表示する。アルゴリズムは、ステップ２２６で変化が所定の限界値以内であるかを確認し、変化のいずれかが限界値を超えている場合に、ステップ２２８で警告またはフラグを生成する。プロングにおける変化に基づいて、アルゴリズムはステップ２３０で宝飾品の金属部および宝石の変化を計算する。例えば、宝石の寸法（クラウン高さ、パビリオン深さ、テーブル直径、パビリオン角度、クラウン角度など）、金属部の大きさおよび体積などの変化である。これによりユーザは、修理中に宝飾品にどんな変更が行われ、そうした変更が許容限界以内であるかどうかを知ることができる。例示の実施形態では、宝飾品において宝石を交換する必要がある場合、ユーザは交換された宝石が以前の宝石の価値および大きさと一致するかどうかを出力情報から確認することができる。大きさがアルゴリズム的な値を超えて変化している場合、宝石を交換した宝石商へ質問することができる。アルゴリズムが宝飾品の自動鑑定の機能を含む場合、ステップ２３２においてアルゴリズムは時間間隔Ｔ２で宝飾品の査定額を見積もり、査定額を出力システム１１０上でユーザへ表示する。これにより、ユーザは時間Ｔ２での宝飾品の査定額を時間Ｔ１での既知の査定額と比べることができる。プロセスはステップ２３４で終了する。
【００３４】
図８ａは時間間隔Ｔ１における、プロングから宝石が取り外された宝飾品の線図を示す。処理部１０６上で動作するソフトウェアアルゴリズムはプロング間の距離８０２、プロングの幅８０４、プロングの曲面部の角度８０６を計算する。また、アルゴリズムはプロングの間に最もよく合わせることができる宝石の大きさおよび重量を見積もることもできる。算出された値は記憶モジュール１０４に記憶される。例示の実施形態では、宝飾品の画像、線図８００、および算出された値は、宝石商が必要な大きさおよび重量の宝石を持っているかどうかを知るために宝石商へ送られる。必要な宝石が在庫にある場合、宝石商は参考のために宝石の画像をユーザへ送る。そして、宝飾品はプロングの間に宝石をセッティングするために宝石商へ送られる。宝飾品は宝石が取り付けられて宝石商から受け取られ、その画像が再度撮影される。図８ｂは、宝石をプロングの間にセットした後の、時間間隔Ｔ２における宝飾品の線図を示す。ソフトウェアアルゴリズムは再度プロング間の距離８１２、プロングの幅８１４、プロングの曲面部の角度８１６を計算する。算出された値は記憶モジュール１０４に記憶される。アルゴリズムは記憶された対応する値の間の差分を計算して変化を確認し、出力システム１１０上に表示する。差分が所定の値を（宝石をセッティング中の損傷を考慮して）超える場合、警告またはフラグが生成される。そのようなシナリオでは、ユーザは取り付けられた宝石と金属部の目減りを確認するために宝石商に質問することができる。
【００３５】
図９ａ、９ｂは、それぞれ時間間隔Ｔ１およびＴ２における宝飾品９００の線図を示す。プロングの寸法９０４は、宝飾品が修理後に宝石商から受け取られた際に時間間隔Ｔ２で変更されている。ソフトウェアアルゴリズムはプロングの寸法９０２と９０４の間の差分を計算し、それに応じて警告を生成する。
【００３６】
別の実施形態では、ユーザは宝石を宝飾品に取り付けている。ユーザは、宝飾品および宝石が標準サイズの物体（例えばコイン）と共にある画像をクリックする。これにより、ユーザは宝飾品および宝石の実寸法を、画像のズーム寸法に関わらず、標準サイズのコインと比較することで知ることができる。図１０は、リング１００２、宝石１００４、および標準サイズのコイン１００６の画像を示す。リング１００２および宝石１００４の実寸法は、コイン１００６と比較することで容易に知ることができる。また、処理部１０６上で動作するソフトウェアアルゴリズムは、宝石１００４内のインクルージョンならびにリング１００２および宝石１００４上の識別マーク（もしあれば）の情報を取り出す。アルゴリズムは情報を比較し、時間間隔Ｔ１とＴ２の間のリング１００２および宝石１００４の変化を確認する。
【００３７】
更なる実施形態では、本発明は電子商取引プラットフォームを介した宝飾品の購入におけるセキュリティを提供する。電子商取引プラットフォームは、宝石、金属部、およびプロングを含む宝飾品の３６０°画像を買い手に提供できる。買い手は記憶モジュール１０４に画像を記憶させて、処理部１０６上で動作するソフトウェアアルゴリズムを使ってその画像を処理することができる。アルゴリズムは画像からすべての情報を抽出して記憶モジュール１０４に記憶させることができる。買い手が宝飾品を実際に受け取った後に、画像が再度撮影されて情報がアルゴリズムにより抽出される。抽出された情報は、同一の宝飾品が受け取られたかを検証するために、記憶された情報と比較される。これは電子商取引プラットフォームの会社による詐欺、または宝飾品の運送時の不正を発見するのに役立つ。
【００３８】
図１１ａは、最初にセットされた宝石の付いた宝飾品の上面図を示す。図１１ｂは、宝飾品内に同じ宝石が再度セットされた宝飾品の上面図を示す。図１１ａ、１１ｂは、宝石およびプロングの様々な寸法を示している。また、プロングの先端は、図１１ａ、１１ｂで示されるように、ダイヤモンドの再セットの前後で変更されている。図は例示目的であり、縮尺通りに描かれていないことに留意されたい。
ダイヤモンド寸法（ダイヤモンド研究所の報告書から得たとおり）：  ６．３６−６．３９×４．１３ｍｍ
ダイヤモンド寸法比  ＝  ６．３６／６．３９  ＝  ０．９９５３０５
宝石の対角線を通過する線の比率：
Ｅ’／Ｅ  ＝  １２．７０／１０．００  ＝  １．２７
Ｆ’／Ｆ  ＝  １２．８０／１０．１０  ＝  １．２６７
算出された値とダイヤモンド寸法の間の差分の百分率を計算し、１２．８０×０．９９５３０５  ＝  １２．７３４
百分率誤差（％）＝  （１２．８０−１２．７３４）／１２．８０×１００  ＝  ０．５４９  ＜  １％
したがって、プロングセッティングにおける偏差は、図１１ａ、１１ｂの対応する値の差分が１％より小さい場合は許容できる。
図１１ａのプロング間の距離を検討すると、
１．  Ａ：  ５．５５×（１．２７，１．２６７）  ＝  Ａｖｅｒａｇｅ（７．０４８５，７．０３１８５）±１％  ＝  ６．９６９
２．  Ｂ：  ６．５０×（１．２７，１．２６７）  ＝  Ａｖｅｒａｇｅ（８．２５５，８．２３５５）±１％  ＝  ８．３２７
３．  Ｃ：  ６．００×（１．２７，１．２６７）  ＝  Ａｖｅｒａｇｅ（７．６２，７．６０２）±１％  ＝  ７．６８７
４．  Ｄ：  ６．５０×（１．２７，１．２６７）  ＝  Ａｖｅｒａｇｅ（８．２５５，８．２３５５）±１％  ＝  ８．３２７
上記の式１、２、３、４から算出された値を図１１ｂのプロング間の距離と比較して、
１．  Ａ’：  （６．８０−６．９６９）／６．８０×１００  ＝  ２．４９％（１％を超える許容できない値） 
２．  Ｂ’：  （８．３０−８．３２７）／８．３０×１００  ＝  ０．３３３％（１％を下回る許容できる値）
３．  Ｃ：  （７．２０−７．６８７）／７．２０×１００  ＝  ６．７６５％（１％を超える許容できない値）
４．  Ｄ’：  （８．４０−８．３２７）／８．４０×１００  ＝  −０．８６０％（１％を下回る許容できる値）
【００３９】
概して、宝飾品から宝石を取り除くためには２つのプロングを開く必要がある。再セット後のプロング間の距離における変化の割合で、修理中にどのプロングが開かれたかを判断できる。算出された値で、上記の式で１％を超える偏差があるものに対して、処理部１０６上で動作するソフトウェアアルゴリズムは出力システム１１０上に表示される警告またはフラグを生成する。
【００４０】
図３は、宝飾品のオンライン鑑定の手順を示すフローチャートを示す。プロセスはステップ３０２で始まり、宝飾品がステップ３０４で取り上げられる。ステップ３０６で宝飾品の画像のセットが撮像装置を使って撮影される。画像は、標準サイズのコインのような標準的な寸法の物体と共に撮影される。こうすることで、宝飾品の正確な寸法および撮影された写真の角度を、画像のズーム表示に関係なく計算することができる。画像のセットは宝飾品の全体像を捉えている。ステップ３０８で、撮影された画像は自動宝飾品鑑定システムにアップロードされる。自動宝飾品鑑定システムは、サーバコンピュータ、クライアントユーザのコンピュータ、携帯電話、制御システム、およびネットワークルータ、スイッチ、またはブリッジ上で動作するソフトウェアアプリケーションとすることができる。あるいは、ソフトウェアアプリケーションはクラウド環境の仮想コンピューティングシステム上で動作することができる。ステップ３１０で、ユーザは自動宝飾品鑑定システムに手動で入力することができる。例えば、ユーザは重量、体積、寸法、キャラット、カットのグレード、色の評価などのような、金属部および宝石の物理的特性を入力することができる。また、ユーザはステップ３１２で、米国宝石学会（Gemological Institute of America）、インターナショナル・ジェモロジカル・インスティテュート（International Gemological Institute）、ヨーロピアン・ジェモロジカル・ラボラトリ（European Gemological Laboratory）などのような宝石鑑定機関から入手した、宝石鑑定実験報告書をアップロードすることもできる。ステップ３１４で、ソフトウェアアプリケーションは宝飾品の金属部および宝石を自動的に検出する。ソフトウェアアプリケーションは、例えばエッジ検出技術、または任意の他の方法を使って、宝飾品のポイントツーポイント図または線図を作成することができる。ステップ３１６で、ソフトウェアアプリケーションは大きさ、重量、キャラット、色の等級、クラリティ、カットのプロポーション、研磨状態（ポリッシュ）などのような情報を画像からさらに抽出する。自動宝飾品鑑定システムは、Ｚｅａｌｅｓ、Ｋｉｔｃｏなどのような様々なオンライン宝石データベースまたはウェブサイトにアクセスして、色の等級、プロングの様式、金属の種類、デザイン様式などのようなパラメータが類似の宝飾品や宝石を見つけることができる。こうした類似の宝飾品のデータや査定額がステップ３１８で受け取られ、ユーザの宝飾品と比較される。そして、ソフトウェアアプリケーションはステップ３２０で、すべての抽出された情報に基づいて宝飾品の査定額を見積もる。ステップ３２２で、宝石または宝飾品の画像および査定額が宝飾品を表示、販売するためにオンライン商取引プラットフォームへ送られる。プロセスはステップ３２４で終了する。
【００４１】
図１２ａ、１２ｂ、１２ｃ、１２ｄ、１２ｅ、１２ｆ、１２ｇ、１２ｈは、宝飾品の購入および販売のためのオンライン商取引プラットフォームの例示のモバイルアプリを示す。宝飾品の買い手または売り手は、モバイルアプリ内で自身のプロフィールを作成することができて、図１２ａに示されるように認証情報を使ってログインすることができる。プラットフォームは、図１２ｂに示されるように、様々な売り手から入手可能な宝石および宝飾品を購入するための「市場（マーケットプレイス）」、自分の宝石および宝飾品を販売するための「あなたの商品を販売」、宝石および宝飾品の画像や研究所証明書をアップロードするための「スキャン」などのような様々な機能を、買い手または売り手に提供する。図１２ｃは、買い手または売り手が、様々な売り手によりプラットフォームへ出品されたダイヤモンドや宝飾品の詳細および値付けを閲覧することができるオンライン商取引プラットフォームのマーケットプレイスを示す。図１２ｄは、クリックして画像をアップロードすることでダイヤモンドや宝飾品を販売できる機能を示す。また、売り手は米国宝石学会のような宝石鑑定機関により提供された証明書や鑑定報告書をスキャン、アップロードすることができる。また、宝飾品の売り値は売り手が入力できる。図１２ｅは、製品を販売するためにプラットフォームへ出品するための製品詳細の入力用のユーザインタフェースを示す。図１２ｆは、製品の製造会社が証明書や鑑定報告書をスキャンおよびアップロードするための製造会社用のコーナーを示す。図１２ｇは、オンライン商取引プラットフォームから製品を購入する機能を示す。入手可能な製品を選択すると、買い手は製品のすべての詳細を見ることができて、製品を購入することができる。また、買い手または売り手は宝飾品または宝石の製品コードをスキャンまたは入力して、図１２ｈに示されるようにプラットフォーム上でオンラインで入手可能な類似の製品の値段比較やユーザレビューといった製品情報を見つけることができる。
【図１】
2020528592.tif 000003
【図２】
2020528592.tif 000004
【図３】
2020528592.tif 000005
【図４】
2020528592.tif 000006
【図５】
2020528592.tif 000007
【図６】
2020528592.tif 000008
【図７】
2020528592.tif 000009
【図８】
2020528592.tif 000010
【図９】
2020528592.tif 000011
【図１０】
2020528592.tif 000012
【図１１】
2020528592.tif 000013
【図１２−１】
2020528592.tif 000014
【図１２−２】
2020528592.tif 000015
【図１２−３】
2020528592.tif 000016
【図１２−４】
2020528592.tif 000017
【国際調査報告】
2020528592.tif 000018